(57)【要約】【課題】  船舶に乗船する衛生管理者又は衛生担当者による診療対象者に対する診療行為を有効に支援する。【解決手段】  情報取得ユニット１２０が、診療対象者の生体情報を含む診療対象者状態情報を取得する。こうして得られた診療対象者状態情報は、記憶部２２０に格納されている診療用品の在庫情報とともに、情報送信制御部２１１により、外部通信ユニット１３０を利用して、船舶の外部の医師が使用する医師用端末装置へ送信される。診療対象者状態情報及び在庫情報に基づいて医師により診療方針が決定された後、医師用端末装置から外部通信ユニット１３０を利用して受信した指示情報が、受信情報提示制御部２１２により、情報提示部２５０を利用して衛生管理者又は衛生担当者に提示される。この提示情報に基づいて行われた診療の記録が、診療履歴記憶制御部２１３により記憶部２２０に格納される。【選択図】  図４
0003152385.tif 000002
【実用新案登録請求の範囲】
【請求項１】
船舶に搭載され、前記船舶に乗船する衛生管理者又は衛生担当者による診療対象者に対する診療行為を支援する診療支援装置であって、
診療関連情報を記憶する記憶手段と；
前記船舶の外部の装置との通信を行う外部通信手段と；
前記衛生管理者又は衛生担当者による操作入力が行われる操作入力手段と；
前記衛生管理者又は衛生担当者に対して情報を提示する提示手段と；
前記診療対象者の生体情報を含む診療対象者状態情報を取得する取得手段と；
前記取得手段による取得結果を、前記記憶手段に格納されている前記船舶における診療用品の在庫情報とともに、前記外部通信手段を利用して、前記船舶の外部の医師が使用する医師用端末装置へ送信する送信制御手段と；
前記外部通信手段を介して前記医師用端末装置から受信した指示情報を、前記提示手段を利用して前記衛生管理者又は衛生担当者に提示する受信情報提示制御手段と；
前記指示情報、及び、前記診療対象者に関する診療記録情報を、診療履歴情報として前記記憶手段に格納する診療履歴記憶制御手段と；
を備えることを特徴とする診療支援装置。
【請求項２】
前記生体情報には、血圧情報、脈拍情報及び体温情報が含まれ、
前記取得手段は、
前記診療対象者の血圧を自動計測する自動血圧計と；
前記診療対象者の脈拍を自動計測する自動脈拍計と；
前記診療対象者の体温を自動計測する自動体温計と；を備える、
ことを特徴とする請求項１に記載の診療支援装置。
【請求項３】
前記取得手段は、前記診療対象者を撮影する撮影手段を備え、
前記診療対象者状態情報には、前記撮影手段による前記診療対象者の撮影画像が更に含まれる、
ことを特徴とする請求項１又は２に記載の診療支援装置。
【請求項４】
前記送信制御手段は、前記医師用端末装置へ、前記診療履歴情報を更に送信する、ことを特徴とする請求項１〜３のいずれか一項に記載の診療支援装置。
【請求項５】
前記受信情報提示制御手段は、前記医師用端末装置から受信した診療アドバイス情報を、前記衛生管理者又は衛生担当者に更に提示する、ことを特徴とする請求項１〜４のいずれか一項に記載の診療支援装置。
【請求項６】
前記診療アドバイス情報には、画像情報及び音声情報の少なくとも一方が含まれる、ことを特徴とする請求項５に記載の診療支援装置。
【請求項７】
前記記憶手段には、前記衛生管理者又は衛生担当者が診療に際して参照するための複数の個別診療マニュアル情報を含む診療マニュアルデータベースが格納され、
前記操作入力手段に入力された参照指令で指定された個別診療マニュアル情報が前記記憶手段に格納されている登録個別診療マニュアル情報である場合に、前記指定された登録個別診療マニュアル情報を、前記提示手段を利用して前記衛生管理者又は衛生担当者に提示する診療マニュアル提示制御手段を更に備える、
ことを特徴とする請求項１〜６のいずれか一項に記載の診療支援装置。
【請求項８】
前記操作入力手段に入力された参照指令で指定された個別診療マニュアル情報が前記記憶手段に格納されていない未登録個別診療マニュアル情報である場合に、前記指定された未登録個別診療マニュアル情報を、前記外部通信手段を利用して、前記船舶の外部に設置された診療マニュアルサーバから取得し、前記取得された個別診療マニュアル情報を、前記記憶手段内の前記診療マニュアルデータベースに追加登録するデータベース更新手段を更に備える、ことを特徴とする請求項７に記載の診療支援装置。
【請求項９】
前記個別診療マニュアル情報には、画像情報及び音声情報の少なくとも一方が含まれる、ことを特徴とする請求項７又は８に記載の診療支援装置。
【請求項１０】
前記指示情報に従って行われた診療に関する個別診療記録情報を、前記外部通信手段を利用して、前記医師用端末装置に報告する報告手段を更に備える、ことを特徴とする請求項１〜９のいずれか一項に記載の診療支援装置。
【請求項１１】
前記船舶の乗組員が常駐する部屋に設置された警報手段と；
前記診療対象者状態情報に基づいて緊急処置が必要であると判断された場合に、前記警報手段へ警報発生指令を送る警報制御手段と；
を更に備えることを特徴とする請求項１〜１０のいずれか一項に記載の診療支援装置。
【請求項１２】
前記警報手段は、前記診療対象者状態情報を表示する表示手段を備え、
前記警報制御手段は、前記警報手段へ前記診療対象者状態情報を更に送り、
前記警報手段と前記警報制御手段とは、ローカルエリアネットワークを介して接続される、
ことを特徴とする請求項１１に記載の診療支援装置。
【考案の詳細な説明】
【技術分野】
【０００１】
本考案は、診療支援装置に係り、より詳しくは、船舶に搭載され、船舶に乗船する衛生管理者又は衛生担当者による診療対象者に対する診療行為を支援する診療支援装置に関する。
【背景技術】
【０００２】
近年における通信技術の進展にともない、患者が病院等の医療機関へ出向かなくとも、医師が、患者を診療することができる遠隔医療に関して様々な技術が提案されている。こうした技術として、在宅看護を受けている患者の体温、血圧等の生体情報（バイタルサイン）を検出し、通信により生体情報を医療機関へ送信するとともに、医療機関における医師が、受信した生体情報に基づいて、通信により患者への指示を告知する技術がある（特許文献１参照）。
【０００３】
また、近年における通信技術の進展にともない、陸上のみならず海上の船舶においても、衛星通信網を介してパケット通信技術を利用するデータ通信が可能となってきている（非特許文献１参照）。この結果、船舶と、陸上の施設との間で、高速かつ高度な通信が可能となってきている。
【先行技術文献】
【特許文献】
【０００４】
【特許文献１】特開２００３−２１０５３６号公報
【非特許文献】
【０００５】
【非特許文献１】川口  誠、他３名、“船内ＬＡＮ・船上マルチメディアシステム”、[online]、平成１５年、日本無線技報Ｎｏ.４４  ２００３−１０、［平成２１年３月１２日検索］、インターネット  <ＵＲＬ：http://www.jrc.co.jp/jp/company/html/review44/04.html>
【考案の概要】
【考案が解決しようとする課題】
【０００６】
ところで、個々の船舶は、陸上の様々な施設や他の船舶との孤立性が高い。このため、船舶内で患者が出た場合には、当該船舶内の人的及び物的資源により、患者の診療を行うことが必要となる。こうした場合に、当該船舶に船医が乗船している場合には、充実した診療が為されるが、多くの船舶では、船医が乗船しておらず、衛生管理者や衛生担当者が、診療を行うことになる。
【０００７】
このため、上述した孤立性が高いという船舶の特殊性を考慮しつつ、船舶に乗船する衛生管理者又は衛生担当者が適切な診療行為を行うことができる環境を整備することが強く望まれている。
【０００８】
本考案は、上記の事情を鑑みてなされたものであり、船舶に乗船する衛生管理者又は衛生担当者による診療対象者に対する診療行為を有効に支援することができる診療支援装置を提供することを目的とする。
【課題を解決するための手段】
【０００９】
本考案の診療支援装置は、船舶に搭載され、前記船舶に乗船する衛生管理者又は衛生担当者による診療対象者に対する診療行為を支援する診療支援装置であって、診療関連情報を記憶する記憶手段と；前記船舶の外部の装置との通信を行う外部通信手段と；前記衛生管理者又は衛生担当者による操作入力が行われる操作入力手段と；前記衛生管理者又は衛生担当者に対して情報を提示する提示手段と；前記診療対象者の生体情報を含む診療対象者状態情報を取得する取得手段と；前記取得手段による取得結果を、前記記憶手段に格納されている前記船舶における診療用品の在庫情報とともに、前記外部通信手段を利用して、前記船舶の外部の医師が使用する医師用端末装置へ送信する送信制御手段と；前記外部通信手段を介して前記医師用端末装置から受信した指示情報を、前記提示手段を利用して前記衛生管理者又は衛生担当者に提示する受信情報提示制御手段と；前記指示情報、及び、前記診療対象者に関する診療記録情報を、診療履歴情報として前記記憶手段に格納する診療履歴記憶制御手段と；を備えることを特徴とする診療支援装置である。
【００１０】
この診療支援装置では、衛生管理者又は衛生担当者により行われた操作入力手段への操作入力に従って、取得手段が、診療対象者の生体情報を含む診療対象者状態情報を取得する。こうして得られた診療対象者状態情報は、記憶手段に格納されている船舶における診療用品の在庫情報とともに、送信制御手段により、外部通信手段を利用して、船舶の外部の医師が使用する医師用端末装置へ送信される。
【００１１】
医師用端末装置で受信された診療対象者状態情報及び在庫情報に基づいて、当該医師用端末装置を利用している医師により、診療対象者に対する診療方針が決定され、診療指示の情報である指示情報が、医師用端末装置から診療支援装置へ送信される。
【００１２】
診療支援装置では、受信した指示情報が、提示手段により提示される。こうして提示された指示情報を参照することにより、衛生管理者又は衛生担当者は、診療対象者に対して、指示情報に従い、在庫として船舶内に保有されている診療用品を有効に活用して、診療を実施する。このため、衛生管理者又は衛生担当者は、的確な診療を迅速に行うことができる。なお、診療者が衛生管理者の場合には、血管注射を除く注射を含めた診療が行われる。
【００１３】
こうして診療が終了すると、衛生管理者又は衛生担当者は、実施した診療の記録情報（診療記録情報）を、操作入力手段を操作して入力する。そして、診療履歴記憶制御手段が、入力された診療記録情報を指示情報とともに、診療履歴情報の一部として、記憶手段に格納する。
【００１４】
また、診療に際して、在庫として船舶内に保有されている診療用品を使用した場合には、衛生管理者又は衛生担当者は、操作入力手段を操作して、記憶手段内の在庫情報を更新する。かかる更新の後、医師用端末装置に対して、適切な診療用品の在庫情報が送信されるようになっている。
【００１５】
したがって、本発明の診療支援装置によれば、船舶に乗船する衛生管理者又は衛生担当者による診療対象者に対する診療行為を有効に支援することができる。
【００１６】
なお、診療履歴情報には、当該船舶内で衛生管理者又は衛生担当者により行われた診療に関する診療記録情報や診療に際しての指示情報以外に、船舶外で乗船前に行われた、健康診断結果や、診療結果を含まれるようにすることができる。
【００１７】
本考案の診療支援装置では、前記生体情報には、血圧情報、脈拍情報及び体温情報が含まれ、前記取得手段が、前記診療対象者の血圧を自動計測する自動血圧計と；前記診療対象者の脈拍を自動計測する自動脈拍計と；前記診療対象者の体温を自動計測する自動体温計と；を備えるようにすることができる。この場合には、生体情報として主要な血圧、脈拍及び体温を自動計測できるので、これらの主要な生体情報の計測に際しての衛生管理者又は衛生担当者の手間を大幅に減少させることができる。
【００１８】
なお、自動計測された生体情報は、送信制御手段により、外部通信手段を利用して、所定周期で、定期的に医師用端末装置へ送信される。かかる所定周期は、医師による診療方針の決定のための必要性、及び、通信料の抑制の観点から定められる。
【００１９】
また、本考案の診療支援装置では、前記取得手段が、前記診療対象者を撮影する撮影手段を備え、前記診療対象者状態情報には、前記撮影手段による前記診療対象者の撮影画像が更に含まれるようにすることができる。この場合には、撮影手段による診療対象者の撮影画像が、医師用端末装置を介して医師に提供されるので、当該医師が、生体情報に加えて、診療対象者の現時点での画像を更に考慮して診療方針を決定できるので、的確かつ迅速な指示情報を、衛生管理者又は衛生担当者へ提示できる。
【００２０】
また、本考案の診療支援装置では、前記送信制御手段が、前記医師用端末装置へ、前記診療履歴情報を更に送信するようにすることができる。この場合には、現時点における診療対象者に関する情報に加えて、過去の診療対象者に関する診療情報を更に考慮して診療方針を決定できるので、的確かつ迅速な指示情報を、衛生管理者又は衛生担当者へ提示できる。
【００２１】
また、本考案の診療支援装置では、前記受信情報提示制御手段が、前記医師用端末装置から受信した診療アドバイス情報を、前記衛生管理者又は衛生担当者に更に提示するようにすることができる。この場合には、医師は、診療に関する指示に加えて、診療に関するアドバイスを、衛生管理者又は衛生担当者に提供できる。このため、衛生管理者又は衛生担当者は、的確な診療を確実に行うことができる。
【００２２】
ここで、前記診療アドバイス情報には、画像情報及び音声情報の少なくとも一方が含まれるようにすることができる。この場合には、衛生管理者又は衛生担当者にとって分かりやすい態様で、診療アドバイス情報が提示される。このため、衛生管理者又は衛生担当者は、指示情報に従った診療を、より確実に行うことができる。
【００２３】
また、本考案の診療支援装置では、前記記憶手段には、前記衛生管理者又は衛生担当者が診療に際して参照するための複数の個別診療マニュアル情報を含む診療マニュアルデータベースが格納され、前記操作入力手段に入力された参照指令で指定された個別診療マニュアル情報が前記記憶手段に格納されている登録個別診療マニュアル情報である場合に、前記指定された登録個別診療マニュアル情報を、前記提示手段を利用して前記衛生管理者又は衛生担当者に提示する診療マニュアル提示制御手段を更に備えるようにすることができる。この場合には、医師が、指示情報や診療アドバイス情報において診療に役立つ個別診療マニュアル情報を指定することで、迅速に診療関連情報を特定することができるとともに、衛生管理者又は衛生担当者は、指定された個別診療マニュアルを参照することで、的確な診療をすることができる。
【００２４】
ここで、前記操作入力手段に入力された参照指令で指定された個別診療マニュアル情報が前記記憶手段に格納されていない未登録個別診療マニュアル情報である場合に、前記指定された未登録個別診療マニュアル情報を、前記外部通信手段を利用して、前記船舶の外部に設置された診療マニュアルサーバから取得し、前記取得された個別診療マニュアル情報を、前記記憶手段内の前記診療マニュアルデータベースに追加登録するデータベース更新手段を更に備えるようにすることができる。この場合には、指示情報や診療アドバイス情報において指定された個別診療マニュアル情報が、記憶手段に格納されていない場合であっても、その個別診療マニュアル情報を記憶手段に格納し、衛生管理者又は衛生担当者に提示することができる。そして、再度その個別診療マニュアル情報を参照しようとする場合には、迅速に参照することができるようになる。
【００２５】
また、前記個別診療マニュアル情報には、画像情報及び音声情報の少なくとも一方が含まれるようにすることができる。この場合には、衛生管理者又は衛生担当者にとって分かりやすい態様で、個別診療マニュアル情報が提示される。このため、衛生管理者又は衛生担当者は、指示情報や診療アドバイス情報に従った診療を、より確実に行うことができる。
【００２６】
また、本考案の診療支援装置では、前記指示情報に従って行われた診療に関する個別診療記録情報を、前記外部通信手段を利用して、前記医師用端末装置に報告する報告手段を更に備えるようにすることができる。この場合には、医師の手を煩わせることなく、医師用端末装置に個別診療記録情報を記録しておくことができるようになる。
【００２７】
また、本考案の診療支援装置では、前記船舶の乗組員が常駐する部屋に設置された警報手段と；前記診療対象者状態情報に基づいて緊急処置が必要であると判断された場合に、前記警報手段へ警報発生指令を送る警報制御手段と；を更に備えるようにすることができる。この場合には、衛生管理者又は衛生担当者が診療対象者のそばにいない場合に、診療対象者に緊急事態が発生した場合であっても、緊急事態が発生したことを、船舶の乗組員の誰かに知らせることができ、迅速に、衛生管理者又は衛生担当者へ連絡をとることができる。
【００２８】
ここで、前記警報手段が、前記診療対象者状態情報を表示する表示手段を備え、前記警報制御手段が、前記警報手段へ前記診療対象者状態情報を更に送るようにするとともに、前記警報手段と前記警報制御手段とが、ローカルエリアネットワークを介して接続されるようにすることができる。この場合には、船舶の乗組員が、緊急事態発生時における診療対象者の状況を的確に把握することができる。
【考案の効果】
【００２９】
以上説明したように、本考案の診療支援装置を利用することにより、船舶に乗船する衛生管理者又は衛生担当者による診療対象者に対する診療行為を有効に支援することができるという効果を奏する。
【図面の簡単な説明】
【００３０】
【図１】本考案の一実施形態に係る診療支援装置の位置付けを説明するための概念図である。
【図２】図１の診療支援装置の構成を概略的に示す図である。
【図３】図２の警報ユニットの構成を示すブロック図である。
【図４】図２の情報処理ユニットの構成を示すブロック図である。
【図５】図４の記憶部に格納される情報を説明するための図である。
【図６】図５の診療履歴情報の構成を説明するための図である。
【図７】図６の個人診療履歴情報の構成を説明するための図である。
【図８】図５の在庫情報の構成を説明するための図である。
【図９】図８の薬品在庫リストの構成を説明するための図である。
【図１０】図８の医療器具在庫リスト情報の構成を説明するための図である。
【図１１】図５の診療マニュアルデータベースの構成を説明するための図である。
【図１２】図１１の個別診療マニュアル情報の構成を説明するための図である。
【図１３】図２の構成の診療支援装置における動作を説明するためのシーケンス図である。
【考案を実施するための形態】
【００３１】
以下、本考案の一実施形態について、図１〜図１３を参照して説明する。なお、図面においては、同一又は同等の要素には同一の符号を付し、重複する説明についてはこれを省略する。
【００３２】
[構成]
図１には、本考案の一実施形態である診療支援装置１００の位置付けが示されている。この図１に示されるように、診療支援装置１００は、船舶ＳＨＰ内に配設される。そして、診療支援装置１００は、通信衛星９００を利用して、医療施設ＨＳＰに配設された医師用端末装置７００及び診療マニュアルサーバ８００と通信ができるようになっている。かかる診療支援装置１００と、医師用端末装置７００及び診療マニュアルサーバ８００との通信内容については、後述する。
【００３３】
ここで、医師用端末装置７００は、医師に向けた画像表示及び音声出力、並びに、医師による操作入力及び音声入力が可能となっている。また、診療マニュアルサーバ８００は、診療支援装置１００からの個別マニュアルＩＤ（Identifier）を指定したダウンロード要求に応答して、指定された個別診療マニュアル情報を診療支援装置１００へ送信するようになっている。
【００３４】
図２には、診療支援装置１００の概略的な構成が、ブロック図にて示されている。この図２に示されるように、診療支援装置１００は、情報処理ユニット１１０と、取得手段としての情報取得ユニット１２０と、外部通信手段としての外部通信ユニット１３０と、警報手段としての警報ユニット１５０とを備えている。ここで、情報処理ユニット１１０と、情報取得ユニット１２０と、外部通信ユニット１３０とは、船舶ＳＨＰ内の診療室内に配設される。また、警報ユニット１５０は、例えば、船橋のように乗組員が常駐する室内に配設される。そして、情報処理ユニット１１０と、警報ユニット１５０とは、船舶ＳＨＰに設備されているローカルエリアネットワーク（以下、「ＬＡＮ」とも記す）１９０を介して、接続されている。
【００３５】
上記の情報処理ユニット１１０は、診療支援装置１００全体を制御するとともに、様々な情報処理を行う。この情報処理ユニット１１０の詳細については、後述する。
【００３６】
上記の情報取得ユニット１２０は、診療対象者の生体情報である血圧、脈拍及び体温を計測する自動血圧計１２１、自動脈拍計１２２及び自動体温計１２３を備えている。また、情報取得ユニット１２０は、診療対象者を撮影する撮影手段としての撮影ユニット１２５を備えている。
【００３７】
上記の自動血圧計１２１は、診療対象者の血圧を自動測定し、測定結果を情報処理ユニット１１０へ報告する。また、上記の自動脈拍計１２２は、診療対象者の脈拍を自動測定し、測定結果を情報処理ユニット１１０へ報告する。また、上記の自動体温計１２３は、診療対象者の体温を自動測定し、測定結果を情報処理ユニット１１０へ報告する。
【００３８】
上記の撮影ユニット１２５は、診療対象者及びその周辺を撮影する。撮影ユニット１２５による撮影結果データは、情報処理ユニット１１０へ送られる。
【００３９】
すなわち、情報取得ユニット１２０は、各時点における診療対象者の血圧、脈拍、体温及び映像から成る診療対象者状態情報を取得する。こうして取得された各時点における診療対象者状態情報が、情報処理ユニット１１０へ報告される。
【００４０】
上記の外部通信ユニット１３０は、情報処理ユニット１１０による制御のもとで、通信衛星９００との間で無線通信を行う。すなわち、外部通信ユニット１３０は、情報処理ユニット１１０からの送信データを無線信号に変換し、通信衛星９００へ向けて送出する。また、外部通信ユニット１３０は、通信衛星９００からの受信した無線信号における受信データ部分をデジタル形式に変換して、受信データとして、情報処理ユニット１１０へ送る。
【００４１】
上記の警報ユニット１５０は、情報処理ユニット１１０による制御のもとで、警報発生処理を行う。かかる機能を有する警報ユニット１５０は、図３に示されるように、ＬＡＮインターフェース（以下、「ＬＡＮ−Ｉ／Ｆ」とも記す）３１０と、処理制御部３２０と、音声出力部３３０と、表示手段としての表示部３４０とを備えている。
【００４２】
上記のＬＡＮ−Ｉ／Ｆ３１０は、ＬＡＮ１９０との間で信号の授受を行う。ＬＡＮ−Ｉ／Ｆ３１０は、ＬＡＮ１９０を介して、情報処理ユニット１１０からのデータを受けると、受信データを処理制御部３２０へ送る。ここで、情報処理ユニット１１０からのデータとしては、警報発生指令及び診療対象者状態情報とがある。
【００４３】
なお、本実施形態では、警報ユニット１５０から情報処理ユニット１１０へは、データ送信は行われないようになっている。
【００４４】
上記の処理制御部３２０は、ＬＡＮ−Ｉ／Ｆ３１０からのデータを受ける。ＬＡＮ−Ｉ／Ｆ３１０からのデータが警報発生指令であった場合には、処理制御部３２０は、警報音声信号を生成して、音声出力部３３０へ送る。また、ＬＡＮ−Ｉ／Ｆ３１０からのデータが診療対象者状態情報であった場合には、処理制御部３２０は、診療対象者画像に、生体情報（血圧、脈拍及び体温情報）を重ねた画像信号を生成し、表示部３４０へ送る。
【００４５】
上記の音声出力部３３０は、スピーカを備えて構成されている。音声出力部３３０は、処理制御部３２０からの警報音声信号を受けると、当該警報音声信号に従って、警報音声を再生出力する。
【００４６】
上記の表示部３４０は、液晶ディスプレイパネル等の表示デバイスを備えて構成される。表示部３４０は、処理制御部３２０からの画像信号を受けると、当該画像信号に従って、診療対象者状態情報の画面表示を行う。
【００４７】
なお、警報ユニット１５０は、パーソナルコンピュータ等を利用した計算機システムとして構成することができる。かかる構成を採用する場合には、各種プログラムを実行することにより、上述した機能を果たすようにすればよい。
【００４８】
上記の情報処理ユニット１１０は、上述したように、診療支援装置１００全体を制御するとともに、様々な情報処理を行う。かかる機能を有する情報処理ユニット１１０は、図４に示されるように、処理制御部２１０と、記憶手段としての記憶部２２０と、外部通信インターフェース（以下、「外部通信Ｉ／Ｆ」との記す）２３０と、ＬＡＮ−Ｉ／Ｆ２４０とを備えている。また、情報処理ユニット１１０は、提示手段としての情報提示部２５０と、音声入力部２６０と、操作入力手段としての操作入力部２７０とを備えている。
【００４９】
上記の処理制御部２１０は、情報処理ユニット１１０全体の動作を制御するとともに、情報処理演算を実行する。この処理制御部２１０の詳細については、後述する。
【００５０】
上記の記憶部２２０は、ハードディスク装置等を備えて構成されており、様々なデータを格納している。こうした記憶部２２０に格納されるデータとしては、図５に示されるように、診療履歴情報２２１、在庫情報２２２、診療マニュアルデータベース２２３等がある。
【００５１】
上記の診療履歴情報２２１は、図６に示されるように、船舶ＳＨＰの乗組員のそれぞれに関する個人診療履歴情報２２１Ｄj（ｊ＝１，２，…）を含んでいる。かかる個人診療履歴情報２２１Ｄjには、図７に示されるように、個人ＩＤコード、個人名、乗船前健康情報、乗船後健康情報が含まれている。
【００５２】
乗船前健康情報には、乗船前の直近の健康診断結果、把握できている範囲での乗船前の診療歴、乗船前から定まっている服薬状況等が含まれている。また、乗船後健康情報には、乗船後に診療が行われた場合における診療機会ごとの診療記録が含まれている。こうした乗船後の診療記録のそれぞれには、診療日時、診療内容（処置内容を含む）、及び、医師からの指示があった場合には、当該指示の情報が含まれるようになっている。
【００５３】
なお、個人ＩＤコード、個人名及び乗船前健康情報は、乗組員の乗船前に、記憶部２２０に格納される。また、乗船後健康情報は、船舶ＳＨＰの衛生管理者又は衛生担当者（以下、「衛生管理者等」と記す）による操作入力部２７０への情報入力、及び、医師用端末装置７００との通信結果に基づいて、処理制御部２１０が、記憶部２２０に格納するようになっている。
【００５４】
上記の在庫情報２２２は、図８に示されるように、薬品在庫リスト２２２Ｐ及び医療器具（以下、単に「器具」とも記す）在庫リスト２２２Ｓを含んでいる。薬品在庫リスト２２２Ｐには、図９に示されるように、船舶ＳＨＰ内に用意されている薬品ごとの薬品ＩＤコード、薬品属性、薬品名、在庫量及び保管場所が登録されている。ここで、薬品属性としては、効能、適応症等が登録され、多面的に個々の診療に適する薬品を検索できるようになっている。
【００５５】
医療器具在庫リスト２２２Ｓには、図１０に示されるように、船舶ＳＨＰ内に用意されている医療器具ごとの器具ＩＤコード、器具属性、器具名、在庫量及び保管場所が登録されている。ここで、器具属性としては、用途、適応症等が登録され、多面的に個々の診療に適する医療器具を検索できるようになっている。
【００５６】
なお、薬品在庫リスト２２２Ｐ及び医療器具在庫リスト２２２Ｓにおける在庫量以外の項目は、船舶ＳＨＰの出港前に登録される。そして、在庫量は、出港前に初期値が登録されるとともに、出港後においては、診療により消費されるたびに、船舶ＳＨＰの衛生管理者等による操作入力部２７０への在庫量更新入力に基づいて、更新されるようになっている。
【００５７】
上記の診療マニュアルデータベース２２３は、図１１に示されるように、症例ごとの個別診療マニュアル情報２２３Ｄk（ｋ＝１，２，…）を含んでいる。かかる個別診療マニュアル情報２２３Ｄkには、図１２に示されるように、個別マニュアルＩＤコード、利用分野、個別マニュアルデータが含まれている。
【００５８】
ここで、利用分野には、個別診療マニュアル情報２２３Ｄkを利用可能な症例が登録されており、診療対象者の症状に対応した検索が可能となっている。また、医師からの参照すべき個別診療マニュアル情報の個別マニュアルＩＤコードの指定があった場合には、個別マニュアルＩＤコードをキーとする検索が可能となっている。また、個別診療マニュアル情報２２３Ｄkにおける個別マニュアルデータには、画像情報又は音声情報が、適宜含まれるようになっている。
【００５９】
なお、医師から指定された個別マニュアルＩＤコードに対応する個別診療マニュアル情報が記憶部２２０に格納されていない場合には、後述するように、当該個別マニュアルＩＤコードに対応する個別診療マニュアル情報が、診療マニュアルサーバ８００からダウンロードされ、診療マニュアルデータベース２２３内に追加されるようになっている。
【００６０】
図４に戻り、上記の外部通信Ｉ／Ｆ２３０は、処理制御部２１０による制御のもとで、外部通信ユニット１３０との間でデータの授受を行う。この外部通信Ｉ／Ｆ２３０は、外部通信ユニット１３０からの受信データを受けると、当該受信データを処理制御部２１０へ送る。ここで、外部通信ユニット１３０からの受信データとしては、医師用端末装置７００から送信された診療に関する指示情報、診療アドバイス情報、及び、医師が発声した会話音声データ、並びに、診療マニュアルサーバ８００から送信された個別診療マニュアル情報等がある。
【００６１】
なお、指示情報及び診療アドバイス情報は、画像情報又は音声情報が必要に応じて含まれるようになっている。
【００６２】
また、外部通信Ｉ／Ｆ２３０は、処理制御部２１０からの送信データを受けると、当該送信データを外部通信ユニット１３０へ送る。ここで、処理制御部２１０からの送信データとしては、医師用端末装置７００へ向けた診療対象者に関する診療履歴情報、診療対象者状態情報、及び、診療支援装置１００の利用者である衛生管理者等が発声した会話音声データ、並びに、診療マニュアルサーバ８００へ向けたダウンロード要求等がある。
【００６３】
上記のＬＡＮ−Ｉ／Ｆ２４０は、ＬＡＮ１９０との間で信号の授受を行う。ＬＡＮ−Ｉ／Ｆ２４０は、処理制御部２１０からのデータを受けると、ＬＡＮ１９０を介して、受信データを警報ユニット１５０へ送る。
【００６４】
上記の情報提示部２５０は、処理制御部２１０による制御のもとで、衛生管理者等に対する情報提示を行う。かかる機能を有する情報提示部２５０は、音声出力部２５１と、表示部２５２とを備えている。
【００６５】
上記の音声出力部２５１は、スピーカを備えて構成されている。音声出力部２５１は、処理制御部２１０からの音声信号を受けると、当該音声信号に従って、音声を再生出力する。
【００６６】
上記の表示部２５２は、液晶ディスプレイパネル等の表示デバイスを備えて構成される。表示部２５２は、処理制御部２１０からの画像信号を受けると、当該画像信号に従って、画面表示を行う。
【００６７】
上記の音声入力部２６０は、マイクロフォンを備えて構成される。音声入力部２６０は、マイクロフォンによる収音結果をデジタル信号に変換した後、収音データとして処理制御部２１０へ送る。
【００６８】
上記の操作入力部２７０は、キーボード、マウス等を備えて構成される。この操作入力部２７０を操作することにより、衛生管理者等は、診療支援装置１００の動作を指定することができる。ここで、衛生管理者等による動作指定としては、医師用端末装置７００への情報送信指令、診療記録の格納指令、個別診療マニュアル情報の参照指令、警報動作モード指定等がある。
【００６９】
上記の処理制御部２１０は、上述したように、情報処理ユニット１１０全体の動作を制御するとともに、情報処理演算を実行する。かかる機能を有する処理制御部２１０は、送信制御手段としての情報送信制御部２１１と、受信情報提示制御手段としての受信情報提示制御部２１２と、診療履歴記憶制御手段及び報告手段としての診療履歴記憶制御部２１３とを備えている。また、処理制御部２１０は、診療マニュアル提示制御手段及びデータベース更新手段としての診療マニュアル情報処理部２１４と、警報制御手段としての警報制御部２１５とを備えている。
【００７０】
上記の情報送信制御部２１１は、衛生管理者等による操作入力部２７０を介した情報送信指令に従って、診療履歴情報、在庫情報及び診療対象者状態情報、並びに音声入力部２６０による収音音声データを、外部通信Ｉ／Ｆ２３０を利用して、医師用端末装置７００へ向けて送信する。なお、情報送信指令では、診療対象者の指定が行われ、診療履歴情報については、指定された診療対象者に関するもののみが送信されるようになっている。
【００７１】
上記の受信情報提示制御部２１２は、外部通信Ｉ／Ｆ２３０を介して、医師用端末装置７００から受けた指示情報、診療アドバイス情報、及び、医師が発生した会話音声データに基づいて、衛生管理者等へ提示すべき画像信号及び音声信号を生成する。そして、受信情報提示制御部２１２は、生成された画像信号を表示部２５２へ送るとともに、生成された音声信号を音声出力部２５１へ送る。
【００７２】
上記の診療履歴記憶制御部２１３は、衛生管理者等により操作入力部２７０に入力された診療記録情報を、診療対象者に対応する記憶部２２０内の診療履歴情報２２１における個人診療履歴情報２２１Ｄj内に、新たな診療記録として、タイムスタンプを付して登録する。また、診療履歴記憶制御部２１３は、診療が医師の指示に従って行われた場合には、新たな診療記録及びそのタイムスタンプを、外部通信Ｉ／Ｆ２３０を利用して、医師用端末装置７００へ向けて送信する。また、上記の診療履歴記憶制御部２１３は、衛生管理者等により操作入力部２７０に入力された在庫量更新情報に基づいて、記憶部２２０内の在庫情報２２２における薬品在庫リスト２２２Ｐ又は医療器具在庫リスト２２２Ｓにおける在庫量を更新する。
【００７３】
上記の診療マニュアル情報処理部２１４は、衛生管理者等により操作入力部２７０に入力された個別マニュアルＩＤコード等の検索キーの指定に基づいて、当該検索キーに対応する記録部２２０内の診療マニュアルデータベース２２３における個別診療マニュアル情報２２３Ｄkを検索する。引き続き、診療マニュアル情報処理部２１４は、個別マニュアルＩＤコードが検索キーとして入力された場合のように、検索された個別診療マニュアル情報の数が１つに特定された場合には、特定された個別診療マニュアル情報における個別マニュアルデータに基づいて、衛生管理者等へ提示すべき画像信号及び音声信号を生成する。そして、診療マニュアル情報処理部２１４は、生成された画像信号を表示部２５２へ送るとともに、生成された音声信号を音声出力部２５１へ送る。
【００７４】
なお、入力された検索キーが症例であり、当該検索キーに該当する個別診療マニュアル情報が複数あった場合には、診療マニュアル情報処理部２１４は、検索された複数の個別診療マニュアル情報の一覧の画像情報を生成し、表示部２５２へ送るようになっている。
【００７５】
また、検索キーとして指定された個別マニュアルＩＤコードに対応する個別診療マニュアル情報が、診療マニュアルデータベース２２３に登録されていない場合には、診療マニュアル情報処理部２１４は、当該個別マニュアルＩＤコードを指定したダウンロード要求を、外部通信Ｉ／Ｆ２３０を利用して、診療マニュアルサーバ８００へ向けて送信する。このダウンロード要求に応答して診療マニュアルサーバ８００から送信された個別診療マニュアル情報を、外部通信Ｉ／Ｆ２３０を介して受けると、診療マニュアル情報処理部２１４は、受信した個別診療マニュアル情報を、診療マニュアルデータベース２２３に追加登録するとともに、受信した個別診療マニュアル情報における個別マニュアルデータに基づいて、衛生管理者等へ提示すべき画像信号及び音声信号を生成する。そして、診療マニュアル情報処理部２１４は、生成された画像信号を表示部２５２へ送るとともに、生成された音声信号を音声出力部２５１へ送る。
【００７６】
上記の警報制御部２１５は、衛生管理者等により操作入力部２７０を介して警報モード指定が行われると動作を開始し、警報モード解除指定が行われると動作を終了する。こうして指定される警報制御部２１５の動作期間である警報モード期間においては、情報取得ユニット１２０により取得された診療対象者状態情報を、ＬＡＮ−ＩＦ２４０を利用して、警報ユニット１５０へ送る。そして、診療対象者状態情報における血圧、脈拍及び体温の少なくとも１つが、予め定められた許容範囲を逸脱し、緊急処置が必要となったと判断された場合に、ＬＡＮ−ＩＦ２４０を利用して、警報発生指令を警報ユニット１５０へ送るとともに、警報音声信号を生成して、音声出力部２５１へ送る。
【００７７】
[動作]
次に、以上の様に構成された診療支援装置１００の動作について、診療対象者に対する診療に対して、医師の指示を仰ぐ場合に主に着目して説明する。
【００７８】
まず、診療室に衛生担当者等が在室し、かつ、診療対象者が診療室に来訪している場合に、衛生担当者等が医師の指示を仰ぐべきであると判断すると、衛生担当者等が、操作入力部２７０を操作して、診療対象者の個人ＩＤコードを指定した情報送信指令を入力する。この結果として、図１３におけるステップＳ１１において、診療支援装置１００による情報送信処理が行われる。
【００７９】
ステップＳ１１においては、情報送信制御部２１１が、医師用端末装置７００との通信を開始した後、まず、在庫情報２２２及び診療対象者に対応する個人診療履歴情報２２１Ｄkを記憶部２２０から読み出して、医師用端末装置７００へ送る。引き続き、情報送信制御部２１１は、情報取得ユニット１２０により取得された診療対象者状態情報を、定期的に医師用端末装置７００へ送る。なお、ステップＳ１１においては、音声入力部２６０による収音音声を、医師用端末装置７００へ送る。
【００８０】
なお、診療対象者状態情報及び収音音声については、情報送信制御部２１１は、医師用端末装置７００との通信が切断されるまで、医師用端末装置７００への送信を継続するようになっている。
【００８１】
ステップＳ１１において診療支援装置１００から送信された情報に基づき、医師用端末装置７００において医師に対して提示された情報を参照して、医師が診療内容を決定する。そして、医師が、決定された診療内容に関する指示情報及び診療アドバイス情報を医師用端末装置７００に入力すると、ステップＳ１２において、医師用端末装置７００が、それらの情報を診療支援装置１００へ送る。ここで、指示情報又は診療アドバイス情報には、画像情報又は音声情報が含まれるようにすることができる。また、指示情報又は診療アドバイス情報には、診療に際して参照すべき個別診療マニュアル情報の個別マニュアルＩＤコードを含ませるようにすることもできる。
【００８２】
なお、医師用端末装置７００からは、医師が発声した会話音声もあわせて送信される。
【００８３】
ステップＳ１２において医師用端末装置７００から送信された情報を受信すると、診療支援装置１００では、ステップＳ１３において受信情報提示処理が実行される。この受信情報提示処理に際して、診療支援装置１００では、受信情報提示制御部２１２が、医師用端末装置７００から受けた指示情報、診療アドバイス情報、及び、医師が発生した会話音声データに基づいて、衛生管理者等へ提示すべき画像信号及び音声信号を生成する。そして、受信情報提示制御部２１２は、生成された画像信号を表示部２５２へ送るとともに、生成された音声信号を音声出力部２５１へ送る。この結果、医師用端末装置７００から送信された情報が、音声出力部２５１及び表示部２５２により、衛生管理者等に提示される。
【００８４】
こうして提示された指示情報及び診療アドバイス情報に従って、衛生管理者等は、診療対象者に対する診療を行う。
【００８５】
なお、指示情報又は診療アドバイス情報に、参照すべき個別診療マニュアル情報の個別マニュアルＩＤコードを含まれている場合には、衛生管理者等は、操作入力部２７０を操作して、当該個別マニュアルＩＤコードを検索キーとして指定した個別診療マニュアル情報の参照指令を入力する。こうして個別診療マニュアル情報の参照指令が行われると、ステップＳ１４において、診療マニュアル情報処理が行われる。
【００８６】
この診療マニュアル情報処理に際しては、診療マニュアル情報処理部２１４が、個別診療マニュアル情報の参照指令において指定された個別マニュアルＩＤコードを検索キーとして、当該検索キーに対応する記録部２２０における診療マニュアルデータベース２２３を検索する。この検索により、当該個別マニュアルＩＤコードに対応する個別診療マニュアル情報が登録されていることが確認できた場合には、診療マニュアル情報処理部２１４は、検索された個別診療マニュアル情報における個別マニュアルデータに基づいて、衛生管理者等へ提示すべき画像信号及び音声信号を生成する。そして、診療マニュアル情報処理部２１４は、生成された画像信号を表示部２５２へ送るとともに、生成された音声信号を音声出力部２５１へ送る。
【００８７】
一方、検索の結果として、当該個別マニュアルＩＤコードに対応する個別診療マニュアル情報が登録されていないことが判明した場合には、診療マニュアル情報処理部２１４は、当該個別マニュアルＩＤコードを指定したダウンロード要求を、診療マニュアルサーバ８００へ向けて送信する。このダウンロード要求に応答して診療マニュアルサーバ８００から送信された個別診療マニュアル情報を受けると、診療マニュアル情報処理部２１４は、受信した個別診療マニュアル情報を、診療マニュアルデータベース２２３に追加登録するとともに、受信した個別診療マニュアル情報における個別マニュアルデータに基づいて、衛生管理者等へ提示すべき画像信号及び音声信号を生成する。そして、診療マニュアル情報処理部２１４は、生成された画像信号を表示部２５２へ送るとともに、生成された音声信号を音声出力部２５１へ送る。
【００８８】
こうして参照すべき個別診療マニュアル情報の内容が、音声出力部２５１及び表示部２５２により、衛生管理者等に提示される。そして、衛生管理者等は、提示された個別診療マニュアル情報を参照しつつ、診療対象者に対する診療を行う。
【００８９】
衛生管理者等による診療対象者に対する診療が終了すると、衛生管理者等は、操作入力部２７０を操作して、今回の診療内容及び診療記録の格納指令を入力する。この結果、ステップＳ１５における診療記録処理が行われる。
【００９０】
診療記録処理に際しては、診療履歴記憶制御部２１３が、入力された診療記録情報を、今回の診療に関する指示情報及びタイムスタンプとともに、新たな診療記録として、診療対象者に対応する記憶部２２０内の診療履歴情報２２１における個人診療履歴情報２２１Ｄj内に登録する。引き続き、診療履歴記憶制御部２１３は、当該新たな診療記録を、医師用端末装置７００へ向けて送信する。この結果、当該診療対象者に関する診療履歴情報が、診療支援装置１００と医師用端末装置７００とで共有されることになる。
【００９１】
また、今回の診療に際して、薬品又は医療器具を消費した場合には、衛生管理者等が、操作入力部２７０を操作して、消費された薬品又は医療器具の残量を入力する。この残量入力が行われると、診療履歴記憶制御部２１３は、記憶部２２０内の在庫情報２２２における薬品在庫リスト２２２Ｐ又は医療器具在庫リスト２２２Ｓにおける在庫量を更新する。
【００９２】
こうして新たな診療記録等に関する処理が終了した後、衛生管理者等が、操作入力部２７０を操作して、医師用端末装置７００との通信を切断する。なお、新たな診療記録等に関する処理が終了した後において、診療対象者を診療室に留め置いて様子を見ることになり、かつ、衛生管理者等による診療対象者の継続注視ができない状態が発生すると、衛生管理者等は、操作入力部２７０を操作して、警報モード指定を入力する。この結果、ステップ１６における警報モード処理が、警報解除モード指定の入力まで、実行される。
【００９３】
警報モード処理に際しては、警報制御部２１５が、情報取得ユニット１２０により取得された診療対象者状態情報を、警報ユニット１５０へ送る。この結果、警報ユニット１５０の表示部３４０に当該診療対象者状態情報が表示される。
【００９４】
そして、診療対象者状態情報における血圧、脈拍及び体温の少なくとも１つが、予め定められた許容範囲を逸脱し、緊急処置が必要となったと判断された場合には、警報制御部２１５が、警報発生指令を警報ユニット１５０へ送るとともに、警報音声信号を生成して、音声出力部２５１へ送る。この結果、警報ユニット１５０の音声出力部３３０及び情報処理ユニット１１０の音声出力部２５１から警告音声が出力され、乗組員のいずれかに対する警報の通知が行われる。
【００９５】
以上、医師の指示を仰ぐ場合の診療支援装置１００における診療支援動作を説明したが、診療支援装置１００は、医師の指示を仰ぐまでの必要のない場合における診療に際しても、衛生管理者等による操作入力部２７０を介した指令入力に従って、診療支援動作を実行する。例えば、診療に際して、診療対象者の症状に適応した個別診療マニュアル情報を参照したい場合には、当該症状等を検索キーとして指定した個別診療マニュアル情報の参照指令を入力することで、適切な個別診療マニュアル情報を参照することができる。そして、入力された検索キーに対応する個別診療マニュアル情報が、診療マニュアルデータベース２２３に登録されていなかった場合には、診療マニュアルサーバ８００にアクセスして、当該症状に対応する個別診療マニュアル情報をダウンロードして、参照することができる。
【００９６】
また、医師の指示を仰ぐまでの必要のない場合における診療記録を、上述の医師の指示を仰ぐ場合と同様の操作を行って、登録することができる。
【００９７】
以上説明したように、本実施形態によれば、衛生管理者等により行われた操作入力部２７０への操作入力に従って、情報取得ユニット１２０が、診療対象者の生体情報を含む診療対象者状態情報を取得する。こうして得られた診療対象者状態情報は、記憶部２２０に格納されている診療用品の在庫情報２２２とともに、情報送信制御部２１１により、外部通信ユニット１３０を利用して、船舶ＳＨＰの外部の医師が使用する医師用端末装置７００へ送信される。
【００９８】
医師用端末装置７００で受信された診療対象者状態情報及び在庫情報に基づいて、当該医師用端末装置７００を利用している医師により、診療対象者に対する診療方針が決定され、診療指示の情報である指示情報が、医師用端末装置７００から診療支援装置１００へ送信される。この指示情報を受けた診療支援装置１００では、受信情報提示制御部２１２が、当該指示情報を、情報提示部２５０を利用して衛生管理者等に提示する。
【００９９】
情報提示部２５０により指示情報が提示されると、衛生管理者等は、診療対象者に対して、指示情報に従い、在庫として船舶ＳＨＰ内に保有されている診療用品を有効に活用して、診療を実施する。このため、衛生管理者等は、的確な診療を迅速に行うことができる。
【０１００】
こうして診療が終了すると、衛生管理者等は、実施した診療の記録を、操作入力部２７０を操作して入力する。そして診療履歴記憶制御部２１３が、入力された診療記録情報を指示情報とともに新たな診療記録として、記憶部２２０に格納する。
【０１０１】
また、診療に際して、在庫として船舶ＳＨＰ内に保有されている診療用品を使用した場合には、衛生管理者等は、操作入力部２７０を操作して、在庫情報２２２を更新する。
【０１０２】
したがって、本実施形態によれば、船舶に乗船する衛生管理者等による診療対象者に対する診療行為を有効に支援することができる。
【０１０３】
また、本実施形態では、情報取得ユニット１２０が、自動血圧計、自動脈拍計及び自動体温計を備えている。このため、生体情報として主要な血圧、脈拍及び体温を自動計測でき、これらの生体情報の計測に際しての衛生管理者等の手間を大幅に減少されることができる。
【０１０４】
また、本実施形態では、情報取得ユニット１２０が、診療対象者を撮影する撮影ユニット１２５を備え、診療対象者状態情報には、撮影ユニット１２５による撮影画像が更に含まれるようになっている。このため、診療対象者の撮影画像が、医師に提供されるので、当該医師が、生体情報に加えて、診療対象者の現時点での画像を更に考慮して診療方針を決定できるので、的確かつ迅速な指示情報を、衛生管理者等へ提示できる。
【０１０５】
また、本実施形態では、情報送信制御部２１１が、医師用端末装置７００へ、診療履歴情報を更に送信する。このため、現時点における診療対象者に関する情報に加えて、過去の診療対象者に関する診療情報を更に考慮して診療方針を決定できるので、的確かつ迅速な指示情報を、衛生管理者等へ提示できる。
【０１０６】
また、本実施形態では、受信情報提示制御部２１２が、医師用端末装置７００から受信した診療アドバイス情報を、衛生管理者等に更に提示するようにする。このため、医師は、診療に関する指示に加えて、診療に関するアドバイスを、衛生管理者等に提供できる。
【０１０７】
また、本実施形態では、診療アドバイス情報には、画像情報及び音声情報の少なくとも一方を含むようするすることができる。このため、衛生管理者等にとって分かりやすい態様で、診療アドバイス情報が提示される。
【０１０８】
また、本実施形態では、記憶部２２０には、衛生管理者等が診療に際して参照するための複数の個別診療マニュアル情報を含む診療マニュアルデータベース２２３が格納され、診療マニュアル情報処理部２１４が、操作入力部２７０に入力された参照指令で指定された個別診療マニュアル情報を検索し、該当する個別診療マニュアル情報が診療マニュアルデータベース２２３に登録されている場合には、当該指定された登録個別診療マニュアル情報を、情報提示部２５０を利用して衛生管理者等に提示する。このため、医師が、指示情報や診療アドバイス情報において診療に役立つ個別診療マニュアル情報を指定することで、迅速に診療関連情報を特定することができるとともに、衛生管理者等は、迅速に、指定された個別診療マニュアル情報を参照することができる。
【０１０９】
また、本実施形態では、操作入力部２７０に入力された参照指令で指定された個別診療マニュアル情報が診療マニュアルデータベース２２３に登録されていない場合には、診療マニュアル情報処理部２１４が、当該指定された個別診療マニュアル情報を、診療マニュアルサーバ８００から取得し、取得された個別診療マニュアル情報を、診療マニュアルデータベース２２３に追加登録する。このため、指示情報や診療アドバイス情報において指定された個別診療マニュアル情報が、診療マニュアルデータベース２２３に登録されていない場合であっても、その個別診療マニュアル情報を診療マニュアルデータベース２２３に追加登録し、衛生管理者等に提示することができる。このため、再度その個別診療マニュアル情報を参照しようとする場合には、迅速に参照することができるようになる。
【０１１０】
また、本実施形態では、個別診療マニュアル情報は、画像情報及び音声情報の少なくとも一方を含むことができるようになっている。このため、衛生管理者等にとって分かりやすい態様で、個別診療マニュアル情報が提示される。
【０１１１】
また、本実施形態では、指示情報に従って行われた診療に関する診療記録が、医師用端末装置７００に報告される。このため、医師の手を煩わせることなく、医師用端末装置７００に個別診療記録情報を記録しておくことができるようになる。
【０１１２】
また、本実施形態では、船舶ＳＨＰの乗組員が常駐する部屋に設置された警報ユニット１５０を更に備え、警報制御部２１５が、診療対象者状態情報に基づいて緊急処置が必要であると判断された場合に、警報ユニット１５０へ警報発生指令を送るようになっている。このため、衛生管理者等が診療対象者のそばにいない場合に、診療対象者に緊急事態が発生した場合であっても、緊急事態が発生したことを、船舶ＳＨＰの乗組員の誰かに知らせることができ、迅速な対処ができる。
【０１１３】
ここで、また、本実施形態では、警報ユニット１５０が診療対象者状態情報を表示する表示部３４０を備え、警報制御部２１５が、ＬＡＮ１９０を介して、警報ユニット１５０へ診療対象者状態情報を更に送るようになっている。このため、船舶ＳＨＰの乗組員が、緊急事態発生時における診療対象者の状況を的確に把握することができる。
【０１１４】
[実施形態の変形]
本考案は、上記の実施形態に限定されるものではなく、様々な変形が可能である。
【０１１５】
例えば、医師用端末装置７００は、医師が常駐している陸上の医療施設に配設されるようにしてもよいし、船医が乗船している別の船舶に配設されるようにしてもよい。
【０１１６】
また、上記の実施形態では、診療支援装置１００による船舶ＳＨＰの外部との通信には、衛星通信のみを利用することにしたが、衛星通信と、携帯電話網を利用した通信とを選択的に切り換えて利用するようにしてもよい。
【０１１７】
また、音声通信に関してのみは、電話回線を利用して行うようにしてもよい。
【０１１８】
また、上記の実施形態では、計測される生体情報を、血圧情報、脈拍情報及び体温情報としたが、計測される生体情報として心電図情報等を更に含むようにしてもよい。
【産業上の利用可能性】
【０１１９】
以上説明したように、本考案の通信システムは、船舶に搭載され、船舶に乗船する衛生管理者等による診療対象者に対する診療行為を支援する診療支援装置に適用することができる。
【符号の説明】
【０１２０】
１００…診療支援装置、１１０…情報処理ユニット、１２０…情報取得ユニット（取得手段）、１２１…自動血圧計、１２２…自動脈拍計、１２３…自動体温計、１２５…撮影ユニット（撮影手段）、１３０…外部通信ユニット（外部通信手段）、１５０…警報ユニット（警報手段）、１９０…ＬＡＮ、２１０…処理制御部、２１１…情報送信制御部（送信制御手段）、２１２…受信情報提示制御部（受信情報提示制御手段）、２１３…診療履歴記憶制御部（診療履歴記憶制御手段及び報告手段）、２１４…診療マニュアル情報処理部（診療マニュアル提示制御手段及びデータベース更新手段）、２１５…警報制御部（警報制御手段）、２２０…記憶部（記憶手段）、２２１…診療履歴情報、２２１Ｄj…個人診療履歴情報、２２２…在庫情報、２２２Ｐ…薬品在庫リスト、２２２Ｓ…医療器具在庫リスト、２２３…診療マニュアルデータベース、２２３Ｄk…個別診療マニュアル情報、２３０…外部通信Ｉ／Ｆ、２４０…ＬＡＮ−Ｉ／Ｆ、２５０…情報提示部（提示手段）、２５１…音声出力部、２５２…表示部、２６０…音声入力部、２７０…操作入力部（操作入力手段）、３１０…ＬＡＮ−Ｉ／Ｆ、３２０…処理制御部、３３０…音声出力部、３４０…表示部（表示手段）。
【図１】
0003152385.tif 000003
【図２】
0003152385.tif 000004
【図３】
0003152385.tif 000005
【図４】
0003152385.tif 000006
【図５】
0003152385.tif 000007
【図６】
0003152385.tif 000008
【図７】
0003152385.tif 000009
【図８】
0003152385.tif 000010
【図９】
0003152385.tif 000011
【図１０】
0003152385.tif 000012
【図１１】
0003152385.tif 000013
【図１２】
0003152385.tif 000014
【図１３】
0003152385.tif 000015